(57)【要約】【課題】ユーザがハンドルを持ってプリンタを持ち運ぶ際に、カバーから本体ケースが開放されて当該本体ケースが落下することを防止する。【解決手段】実施形態のプリンタは、ケースと、カバーと、ハンドルと、第１係部と、第２係部と、を備える。前記カバーは、前記ケースを上方から着脱可能に覆う。前記ハンドルは、第１位置と当該第１位置よりも上方へ突出した第２位置との間で移動可能に前記カバーに支持される。前記第１係部は、前記ハンドルに設けられる。前記第２係部は、前記ケースに設けられ、前記ハンドルが前記第２位置に位置した状態で前記第１係部の上に位置して当該第１係部と係わるとともに、前記ハンドルの前記第２位置から前記第１位置への移動に伴って前記第１係部との係わりが解除される。【選択図】図１
2013154478.tif 000002
【特許請求の範囲】
【請求項１】
ケースと、
前記ケースを上方から着脱可能に覆うカバーと、
第１位置と当該第１位置よりも上方へ突出した第２位置との間で移動可能に前記カバーに支持されたハンドルと、
前記ハンドルに設けられた第１係部と、
前記ケースに設けられ、前記ハンドルが前記第２位置に位置した状態で前記第１係部の上に位置して当該第１係部と係わるとともに、前記ハンドルの前記第２位置から前記第１位置への移動に伴って前記第１係部との係わりが解除される第２係部と、
を備えた、プリンタ。
【請求項２】
前記ハンドルは、前記カバーに回動可能に支持された、請求項１に記載のプリンタ。
【請求項３】
前記第１係部および第２係部のうち一方が、前記カバーが前記ケースを覆った状態で、前記ハンドルの回動中心を中心とした円弧状の壁部を有した、請求項２に記載のプリンタ。
【請求項４】
前記第１係部および前記第２係部のうち一方と前記ハンドルの回動中心回りの回動方向に係わって前記ハンドルが前記第２位置から前記第１位置と反対方向に回動するのを抑制する第３係部を備え、
前記ケースに作用した重力によって、当該ケースに、前記ハンドルの回動中心回りで前記第１係部および前記第２係部のうち一方と前記第３係部とが係わる方向の回転モーメントが作用する、請求項３に記載のプリンタ。
【請求項５】
前記ケース内にはロール紙が着脱可能に収容され、前記ロール紙の着脱によらず、前記ケースに作用した重力によって、当該ケースに、前記ハンドルの回動中心回りで前記第１係部および前記第２係部のうち一方と前記第３係部とが係わる方向の回転モーメントが作用する、請求項４に記載のプリンタ。
【請求項６】
前記ケースには、前記ハンドルの回動中心に対して前記第１位置にあるハンドルとは反対側に、用紙排出口が設けられた、請求項２から４のいずれか一に記載のプリンタ。
【請求項７】
筐体の一部を構成する第１部材と、
前記筐体の一部を構成し、前記第１部材の上に着脱可能に載せられる第２部材と、
前記第１位置と当該第１位置よりも上方へ突出した第２位置との間で移動可能に前記第２部材に支持されたハンドルと、
前記ハンドルに設けられた第１係部と、
前記第１部材に設けられ、前記ハンドルが前記第２位置に位置した状態で前記第１係部の上に位置して当該第１係部と係わるとともに、前記ハンドルの前記第２位置から前記第１位置への移動に伴って前記第１係部との係わりが解除される第２係部と、
を備えた、電子機器。 
【発明の詳細な説明】
【技術分野】
【０００１】
本発明の実施形態は、プリンタおよび電子機器に関する。
【背景技術】
【０００２】
小型ラベルプリンタなどの小型機器においては、持ち運びの利便性を向上させるためにハンドルを装着することが望まれている。
【発明の概要】
【発明が解決しようとする課題】
【０００３】
しかしながら、小型ラベルプリンタのように本体上部に開閉可能なカバーが設けられた機器において、本体にハンドルを装着する場合、以下の問題が生じる。例えば、ハンドルが本体上部に起立した状態でカバーを開放しようとすると、カバーを開放する途中でハンドルに衝突してしまい、それ以上カバーを開放することができなくなる。そのため、ユーザは、カバーを開放する前にハンドルを下方に倒しておかなければならず面倒である。
【０００４】
また、設計の制約上、ハンドルが必ずしも機器の本体に装着できるとは限らず、本体ではなくカバーにハンドルを装着するとともに、本体からのカバーの開放を規制するロック機構を設ける場合も存在する。仮に、カバーにハンドルを装着した場合、カバーを開放する途中でハンドルに衝突するという問題は生じないが、ハンドルを手に持って機器を持ち運ぶ際に、ユーザが誤って、ロック機構によるカバーの開放の規制を解除するためのカバーオープンボタンを押してしまうと、本体からカバーが開放されてしまい、機器内部の部品や本体が落下し、落下の衝撃によって機器が破損する危険性がある。
【課題を解決するための手段】
【０００５】
実施形態のプリンタは、ケースと、カバーと、ハンドルと、第１係部と、第２係部と、を備える。前記カバーは、前記ケースを上方から着脱可能に覆う。前記ハンドルは、第１位置と当該第１位置よりも上方へ突出した第２位置との間で移動可能に前記カバーに支持される。前記第１係部は、前記ハンドルに設けられる。前記第２係部は、前記ケースに設けられ、前記ハンドルが前記第２位置に位置した状態で前記第１係部の上に位置して当該第１係部と係わるとともに、前記ハンドルの前記第２位置から前記第１位置への移動に伴って前記第１係部との係わりが解除される。
【図面の簡単な説明】
【０００６】
【図１】図１は、本実施形態にかかる電子機器としてのプリンタを示す図であって、ハンドルが第２位置に位置した状態を示す斜視図である。
【図２】図２は、本実施形態にかかるプリンタを示す図であって、ハンドルが第１位置に位置した状態を示す斜視図である。
【図３】図３は、本実施形態にかかるプリンタを示す図であって、カバーが開状態にある状態を示す斜視図である。
【図４】図４は、本実施形態にかかるプリンタの分解斜視図である。
【図５】図５は、本実施形態にかかるプリンタの機器本体に対するハンドルの装着方法の一例を示す図である。
【発明を実施するための形態】
【０００７】
以下、図面を参照して、実施形態について詳細に説明する。以下の実施形態では、電子機器として、ロール上に巻回された用紙を引き出して印字する携帯型のプリンタについて説明する。また、各図では、便宜上、プリンタ１の本体ケース１０の前後方向で後方をＸ方向、プリンタ１の本体ケース１０の幅方向をＹ方向、プリンタ１の本体ケース１０の高さ方向をＺ方向と記す。これらＸ方向、Ｙ方向、およびＺ方向は相互に直交している。
【０００８】
図１〜５を用いて、本実施形態にかかるプリンタ１について説明する。図１に示すように、プリンタ１は、印字動作を行う機器本体２（筐体）と、機器本体２に連結され把持可能なハンドル３と、を有している。プリンタ１は、可搬性を有している。ハンドル３は、機器本体２のカバー１１に沿う第１位置（図２参照）と、当該第１位置よりも上方へ突出した第２位置（図１参照）との間で移動可能にカバー１１に支持されている。したがって、プリンタ１のユーザ（図示せず）は、ハンドル３を起立させて第２位置に回動させた状態でハンドル３を把持してプリンタ１を持ち運ぶことができる。このプリンタ１は、機器本体２に装着されたバッテリー（図示しない）の電力によって印字動作等の動作を行う。
【０００９】
図３に示すように、本実施形態のプリンタ１で使用される用紙１００（ロール紙）は、帯状に形成されてロール状に巻回されている。用紙１００は、例えばラベル用紙やレシート用紙等である。用紙１００は、本体ケース１０内に着脱可能に収容されている。
【００１０】
図１および図２に示すように、機器本体２は、本体ケース（第１部材）１０と、カバー（第２部材）１１と、を有している。本体ケース１０は、機器本体２の一部を構成するものであり、上面開口の略直方体状に形成されている。本体ケース１０は、左右の幅方向よりも前後方向の方が長く形成されている。本体ケース１０は、用紙１００およびバッテリー（図示しない）を着脱可能に保持する。用紙１００およびバッテリー（図示しない）は装着物に相当する。
【００１１】
一方、カバー１１は、機器本体２の一部を構成するものであり、下面開口の略三角柱状に形成されている。カバー１１は、本体ケース１０を、上方から着脱可能に覆うものである。言い換えると、カバー１１は、本体ケース１０の上に着脱可能に載せられる。具体的には、カバー１１は、本体ケース１０の上部に配置され本体ケース１０の上部を覆う閉位置（図１参照）と、本体ケース１０の上部を露出させる開状態（図２参照）との間で、ユーザによって着脱可能に形成されている。また、機器本体２の前面（正面）２ａにおける本体ケース１０とカバー１１との間には、用紙１００を排出する排出口２ｂが設けられている。なお、本実施形態では、カバー１１は、本体ケース１０の上に着脱可能に載せられるが、これに限定するものではなく、例えば、カバー１１は、本体ケース１０の背面（用紙１００を排出する排出口２ｂの反対側）に設けられたヒンジを支点にして、当該本体ケース１０に対して回動可能に取り付けられていても良い。
【００１２】
図３および図４に示すように、本体ケース１０は、第１筐体１４を有しており、この第１筐体１４に、用紙収容部、プラテンローラ、バッテリー、電源スイッチ、制御基板（いずれも図示せず）等が設けられている。一方、カバー１１は、第２筐体１８を有しており、この第２筐体１８に、タッチパネル付きディスプレイ、印字ヘッド（いずれも図示せず）等が設けられている。カバー１１が閉位置に位置付けられた状態では、カバー１１に設けられた印字ヘッド（図示せず）と本体ケース１０に設けられたプラテンローラ（図示せず）とが対向する。カバー１１が開位置に位置付けられた状態では、カバー１１に設けられた印字ヘッド（図示せず）と本体ケース１０に設けられたプラテンローラ（図示せず）との間が開放される。
【００１３】
第１筐体１４は、上面開口の略箱形状に形成されている。第１筐体１４は、相互に離間して配置された一対の側壁部１４ａを有している。第２筐体１８は、下面開口の略三角柱状に形成されている。第２筐体１８は、相互に離間して配置され、側面視で略三角形状に形成された一対の側壁部１８ａを有している。
【００１４】
図１に示すように、ハンドル３は、ねじ６（支軸）によってカバー１１に回動可能に連結されており、機器本体２を吊り下げ支持可能である。
【００１５】
ハンドル３は、一対のアーム部３ａと、一対のアーム部３ａ同士を接続した把持部３ｂと、を有している。一対のアーム部３ａは、カバー１１の幅方向に相互に間隔を空けて配置され、カバー１１を間に位置させた状態で相互に対向している。各アーム部３ａの一端部には、ハンドル３をカバー１１に対して回動可能に支持するための一対の軸孔３ｃが形成されている。軸孔３ｃには、ハンドル３の外側からねじ６が挿入される（図５参照）。なお、図１等では、一方の軸孔３ｃのみが示されている。アーム部３ａは、ねじ６回り方向（図中の矢印Ａや矢印Ｂの方向）に回動可能に機器本体２のカバー１１に連結されている。把持部３ｂは、一対のアーム部３ａの他端部同士を接続している。ハンドル３は、例えば樹脂や金属等によって構成されている。
【００１６】
機器本体２のカバー１１における第２筐体１８には、第１収容部１８ｃに設けられている。第１収容部１８ｃは、第２筐体１８の各側壁部１８ａの外面の下部に凹状に設けられている（図面では、一方の第１収容部１８ｃが示されている）。第１収容部１８ｃには、アーム部３ａの一端部の内面と当接する外面に凹状に一対のねじ孔１８ｂが設けられている。一対のねじ孔１８ｂは、同一軸上に配置されている。一方のねじ孔１８ｂは、第２筐体１８の一方の側壁部１８ａに設けられており、他方のねじ孔１８ｂは、第２筐体１８の他方の側壁部１８ａに設けられている。そして、ねじ孔１８ｂには、図５に示すように、ハンドル３の軸孔３ｃを通過したねじ６が挿入される。ねじ６は、カバー１１を経由して当該カバー１１の内部の板金７に対して固定される。これにより、ハンドル３は、カバー１１に回動可能に装着される。なお、機器本体２の重心は、ねじ６（支軸）よりも、本体ケース１０の後方（Ｘ方向）に位置しているものとする。なお、機器本体２の重心は、本体ケース１０に収容される用紙１００の着脱によって変わらず、ねじ６（支軸）よりも本体ケース１０の後方（Ｘ方向）に位置している。
【００１７】
ハンドル３によって吊り下げ支持された状態における、カバー１１の閉状態から開状態への遷移および機器本体２とハンドル３との相対回動は、ストッパ部４０によって規制される。
【００１８】
ストッパ部４０は、図１、図３、および図４に示すように、ハンドル３に設けられた係合部３ｄと、本体ケース１０における第１筐体１４に設けられた収容部１４ｂと、を有している。なお、本実施形態では、本体ケース１０における第１筐体１４に係合部３ｄを設け、ハンドル３に収容部１４ｂを設けても良い。即ち、収容部１４ｂがハンドル３と本体ケース１０との一方に設けられ、係合部３ｄがハンドル３と本体ケース１０との他方に設けられていれば良い。
【００１９】
係合部３ｄは、図１、図３、および図４に示すように、各アーム部３ａの一端部の内面に凹状に設けられている（図面では、一方の係合部３ｄが示されている）。係合部３ｄは、第１係部３ｅと、第３係部３ｆと、を有している。第１係部３ｅは、ハンドル３に設けられ、カバー１１が本体ケース１０を覆った閉状態で、ねじ６（支軸）（ハンドル３の回動中心）を中心とした円弧状の壁部である。第３係部３ｆは、後述する第２係部１４ｃとねじ６（ハンドル３の回動中心）回りの回動方向（図中の矢印Ａで示す方向）に係わってハンドル３が第２位置から第１位置と反対方向に回動するのを抑制するものである。詳しくは、第３係部３ｆは、ねじ６（ハンドル３の回動中心）回りの回動方向（図中の矢印Ａで示す方向）に設けられた壁部である。係合部３ｄは、収容部１４ｂの内部空間よりも小さく形成されており、ねじ６周り方向に収容部１４ｂと相対回動可能となっている。
【００２０】
収容部１４ｂは、本体ケース１０における第１筐体１４の各側壁部１４ａの外面の上部に凹状に設けられている（図面では、一方の収容部１４ｂが示されている）。収容部１４ｂは、アーム部３ａの一端部の内面と当接する外面に凸状に一対の第２係部１４ｃを有している。第２係部１４ｃは、本体ケース１０に設けられ、ハンドル３が第２位置に位置した状態で第１係部３ｅの上に位置して当該第１係部３ｅと係わるとともに、ハンドル３の第２位置から第１位置への移動に伴って第１係部３ｅとの係わりが解除される。第２係部１３ｃは、係合部３ｄの内部空間よりも小さく形成されており、ねじ６周り方向の係合部３ｄと相対回動可能となっている。
【００２１】
なお、本実施形態では、ハンドル３が有する一対のアーム部３ａの一端部に設けた第１係部３ｅを、カバー１が本体ケース１０を覆った閉状態で、ねじ６（支軸）を中心とした円弧状の壁部としているが、これに限定するものではなく、第１係部３ｅおよび第２係部１４ｃのうち一方が、カバー１１が閉状態において、ねじ６（支軸）を回動中心とした円弧状の壁部として形成されていれば良い。
【００２２】
また、本実施形態では、第１係部３ｅが、カバー１１が本体ケース１０を覆った閉状態で、ねじ６（ハンドル３の回動中心）を中心とした円弧状の壁部として形成されているため、ハンドル３に第３係部３ｆを設けているが、第２係部１４ｃが、カバー１１が本体ケース１０を覆った閉状態で、ねじ６（ハンドル３の回動中心）を中心とした円弧状の壁部として形成された場合には、本体ケース１０に第３係部３ｆを設けるものとする。つまり、第３係部３ｆは、第１係部３ｅおよび第２係部１４ｃのうち一方と、ねじ６（支軸）回りの回動方向に係わってハンドル３が第２位置から第１位置と反対方向に回動するのを抑制するものであれば良い。
【００２３】
ストッパ４０は、ハンドル３が第２位置（図１参照）に位置した状態では、係合部３ｄの第１係部３ｅと、収容部１４ｂの第２係部１４ｃとが係わっており、本体ケース１０からのカバー１１の離脱を規制する。さらに、ストッパ４０は、ハンドル３が第２位置（図１参照）に位置した状態では、係合部３ｄの第３係部３ｆが、収容部１４ｂの第２係部１４ｃと、ねじ６回りの回動方向（図中の矢印Ａで示す方向）に係わってハンドル３が第２位置から第１位置と反対方向に回動するのを抑制する。一方、ストッパ４０は、ハンドル３が第１位置（図２参照）に位置した状態では、係合部３ｄの第１係部３ｅと、収容部１４ｂの第２係部１４ｃとが係わりが解除されて、本体ケース１０からのカバー１１の離脱が許容される。
【００２４】
上記構成の機器本体２の重心は、上述したように、機器本体２の前後方向でねじ６（支軸）の後方に位置している。機器本体２の重心は、用紙１００の着脱によって変わるが、本体ケース１０の前後方向でねじ６（支軸）の後方に位置している点は変わらない。詳しくは、機器本体２の重心は、装着品である用紙１００が本体ケース１０から装着されている場合と、用紙１００が本体ケース１０に装着されている場合とで変わるが、本体ケース１０の前後方向でねじ６（支軸）の後方に位置している点は変わらない。つまり、本体ケース１０には、当該本体ケース１０に作用した重力によって、当該本体ケース１０に、ハンドル３の回動中心（ねじ６）回りで第２係部１４ｃと第３係部３ｆとが係わる方向の回転モーメントが作用する。そして、本体ケース１０に作用する回転モーメントの方向は、機器本体２に装着物（用紙１００など）が装着された状態と、機器本体２に装着物（用紙１００など）が装着されていない状態とで同じであり、図中の矢印Ｄの方向である。
【００２５】
なお、本体ケース１０に第３係部３ｆが設けられている場合には、本体ケース１０に作用した重力によって、当該本体ケース１０に、ハンドル３の回動中心（ねじ６）回りで第１係部３ｅと第３係部３ｆとが係わる方向の回転モーメントが作用するものとする。つまり、本体ケース１０には、当該本体ケース１０に作用した重力によって、当該本体ケース１０に、ハンドル３の回動中心（ねじ６）回りで第１係部３ｅおよび第２係部１４ｃのうち一方と第３係部３ｆとが係わる方向の回転モーメントが作用するものとする。
【００２６】
このような構成において、ハンドル３が第１位置（図２参照）に位置した状態のプリンタ１をユーザが持ち上げる場合、一例として、ユーザは、ハンドル３の把持部３ｂを把持してハンドル３を第１位置から第２位置（図１参照）へ回動させることで、本体ケース１０に設けられた第２係部１４ｃが、ハンドル３に設けられた第１係部３ｅと係わる。この状態からユーザがプリンタ１を持ち上げると、第１係部３ｅと第２係部１４ｃとが係わることによりハンドル３に吊り下げ支持される。また、ハンドル３に吊り下げ支持された本体ケース１０には、当該本体ケース１０に作用した重力によって、当該本体ケース１０に、ハンドル３の回動中心（ねじ６）回りで第２係部１４ｃと第３係部３ｆとが係わる方向の回転モーメントが作用して、第２係部１４ｃと第３係部３ｆとの係わりが維持される。
【００２７】
一方、プリンタ１を机等の載置部（図示せず）に置いて、ハンドル３を第２位置（図１参照）から第１位置（図２参照）に回動させると、第１係部３ｅと第２係部１４ｃとの係わりが解除されるため、本体ケース１０からカバー１１を取り外すことが可能となる。この際、カバー１１とともに当該カバー１１に支持されたハンドル３も、カバー１１とともに本体ケース１０から取り外されるので、本体ケース１０からカバー１１を取り外す際に、カバー１１がハンドル３に衝突することを防止できる。
【００２８】
また、本実施形態では、機器本体２には、ハンドル３の回動中心（ねじ６）に対して第１位置に位置するハンドル３とは反対方向に、排出口２ｂが設けられているため、プリンタ１で印字された用紙１００が排出口２ｂから排出される際に、ハンドル３が排出経路に位置して用紙１００の排出を妨げるのを防止することができる。
【００２９】
なお、本実施形態では、第２係部１４ｃとハンドル３の支軸（ねじ６）回りの回動方向に係わってハンドル３が第２位置から第１位置と反対方向に回動するのを抑制する第３係部３ｆを設けるとともに、本体ケース１０に作用した重力によって、当該本体ケース１０に、ねじ６（支軸）回りで第２係部１４ｃと第３係部３ｆとが係わる方向の回転モーメントを作用させることにより、第２係部１４ｃと第３係部３ｆとの係わりを維持しているが、これに限定するものではない。例えば、ハンドル３の回動に伴って第２係部１４ｃが移動する係合部３ｄ内の経路に凸部等を設けることにより、当該経路を狭めることにより、第２係部１４ｃと第３係部３ｆとの係わりを維持し、ハンドル３が第１位置に回動することで、第２係部１４ｃまたは係合部３ｄの弾性変形を伴って第２係部１４ｃが係合部３ｄから脱することができるようにしても良い。
【００３０】
このように、本実施形態にかかるプリンタ１によれば、本体ケース１０と、本体ケース１０を上方から着脱可能に覆うカバー１１と、第１位置と当該第１位置よりも上方へ突出した第２位置との間で移動可能にカバー１１に支持されたハンドル３と、ハンドル３に設けられた第１係部３ｅと、本体ケース１０に設けられ、ハンドル３が第２位置に位置した状態で第１係部３ｅの上に位置して当該第１係部３ｅと係わるとともに、ハンドル３の第２位置から第１位置への移動に伴って第１係部３ｅとの係わりが解除される第２係部１４ｃと、を備えることにより、第１係部３ｅと第２係部１４ｃとの係わりを維持しつつ、本体ケース１０を吊り上げ支持することができるので、ユーザがハンドル３を持ってプリンタ１を持ち運ぶ際に、カバー１１から本体ケース１０が開放されて当該本体ケース１０が落下することを防止することができる。
【００３１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３２】
１  プリンタ
２  機器本体
３  ハンドル
３ｅ  第１係部
３ｆ  第３係部
１４ｃ  第２係部
１００  用紙
【先行技術文献】
【特許文献】
【００３３】
【特許文献１】特開２０００−２７２１９９号公報
【図１】
2013154478.tif 000003
【図２】
2013154478.tif 000004
【図３】
2013154478.tif 000005
【図４】
2013154478.tif 000006
【図５】
2013154478.tif 000007